(57)【要約】【課題】空調機の運転音を低減することができる空調制御装置を提供する。【解決手段】空調制御装置１０は、室外機１１の運転音に関する測定値と、室外機１１の設置場所及び運転時間帯に基づいて設定した許容値とを用いて、室外機１１の運転に関する運転電流値の運転電流上限値を設定する設定部１０ａと、その運転電流上限値を超えないように、室外機１１の運転を制御する制御部１０ｂとを備える。【選択図】図１Ａ
2020159642.tif 000002
【特許請求の範囲】
【請求項１】
空調機の運転音に関する測定値と、前記空調機の設置場所及び運転時間帯に基づいて設定した許容騒音値とを用いて、前記空調機の運転に関する値の上限値を設定する設定部と、
前記上限値を超えないように、前記空調機の運転を制御する制御部とを備える
ことを特徴とする空調制御装置。
【請求項２】
前記設定部は、
前記空調機の運転に関する値の上限値として、前記空調機が運転するときの運転電流の上限値を設定する
ことを特徴とする請求項１記載の空調制御装置。
【請求項３】
前記設定部は、
前記空調機の運転に関する値の上限値として、前記空調機のファンが回転するときのファン周波数の上限値を設定する
ことを特徴とする請求項１記載の空調制御装置。
【請求項４】
前記設定部は、
前記空調機の運転に関する値の上限値として、前記空調機の圧縮機が駆動するときの圧縮機周波数の上限値を設定する
ことを特徴とする請求項１または請求項３記載の空調制御装置。
【請求項５】
前記設定部は、
前記測定値と前記許容騒音値との比較結果に基づいて、前記上限値を調整する
ことを特徴とする請求項１から請求項４のうちのいずれか１項記載の空調制御装置。
【請求項６】
前記設定部は、
前記測定値が前記許容騒音値よりも大きい場合に、現在の上限値を小さくし、
前記測定値が前記許容騒音値よりも小さい場合に、現在の上限値を大きくする
ことを特徴とする請求項５記載の空調制御装置。
【請求項７】
前記設定部は、
前記空調機に設定される所定の動作が行われた場合に、前記上限値の設定動作を開始する
ことを特徴とする請求項１または請求項２記載の空調制御装置。
【請求項８】
前記設定部は、
前記空調機が冷房運転動作を行っているときにおいて、空調対象室内の設定温度が空調対象室内の測定温度以下となる場合、または、空調対象室内の設定温度が空調対象室内の測定温度よりも低くなる場合に、前記上限値の設定動作を開始し、
前記空調機が暖房運転動作を行っているときにおいて、空調対象室内の設定温度が空調対象室内の測定温度以上となる場合、または、空調対象室内の設定温度が空調対象室内の測定温度よりも高くなる場合に、前記上限値の設定動作を開始する
ことを特徴とする請求項１または請求項３あるいは請求項４記載の空調制御装置。
【請求項９】
設定部が、空調機の運転音に関する測定値と、前記空調機の設置場所及び運転時間帯に基づいて設定した許容騒音値とを用いて、前記空調機の運転に関する値の上限値を設定し、
制御部が、前記上限値を超えないように、前記空調機の運転を制御する
ことを特徴とする空調制御方法。
【請求項１０】
空調機の運転音に関する測定値と、前記空調機の設置場所及び運転時間帯に基づいて設定した許容騒音値とを用いて、前記空調機の運転に関する値の上限値を設定する機能と、
前記上限値を超えないように、前記空調機の運転を制御する機能とを、
実現させるためのプログラム。
【発明の詳細な説明】
【技術分野】
【０００１】
この発明は、空調機を制御する空調制御装置、空調制御方法、及び、プログラムに関するものである。
【背景技術】
【０００２】
全館空調用室外機は、一台で１住居に対応する必要があるため、その運転音は、ルームエアコン用室外機の運転音と比べて、高音となる。このため、全館空調用室外機を設置する場合には、その設置レイアウトは、運転音の大きさを考慮して、慎重に設計されている。しかしながら、全館空調用室外機の運転音に対する低減要求を隣家から受ける場合があり、その際の対策は、予め確立しておく必要がある。
【０００３】
全館空調用室外機の運転音に対する低減要求を受ける案件では、当該室外機と隣家との間のスペースが少ないことが多い。このため、全館空調用室外機の運転音に対する対策は、省スペースで行うことが求められている。
【０００４】
特許文献１には、室外機を囲むように設けられた防音壁が開示されている。この防音壁は、複数の支柱間に隙間無く設けられることで、音源から受音点までの距離を長くし、室外機の運転音を減衰させるものである。
【先行技術文献】
【特許文献】
【０００５】
【特許文献１】特開２００８−１３８４３８号公報
【発明の概要】
【発明が解決しようとする課題】
【０００６】
しかしながら、特許文献１に開示された防音壁においては、運転音の減衰効果を十分に得るために、その高さを高くする必要がある。一般住宅では、日照を考慮した場合に、防音壁を高くすることは、困難である。
【０００７】
この発明は、上記のような課題を解決するためになされたもので、空調機の運転音を低減することができる空調制御装置を提供することを目的とする。
【課題を解決するための手段】
【０００８】
この発明に係る空調制御装置は、空調機の運転音に関する測定値と、空調機の設置場所及び運転時間帯に基づいて設定した許容騒音値とを用いて、空調機の運転に関する値の上限値を設定する設定部と、上限値を超えないように、空調機の運転を制御する制御部とを備えるものである。
【発明の効果】
【０００９】
この発明によれば、空調機の運転音を低減することができる。
【図面の簡単な説明】
【００１０】
【図１Ａ】実施の形態１に係る空調制御装置を備えた空調システムの構成を示した概略図である。
【図１Ｂ】実施の形態１に係る空調制御装置を備えた空調システムの構成を示したブロック図である。
【図２】実施の形態１に係る空調制御装置の動作を示したフローチャートである。
【図３】実施の形態１に係る空調制御装置による許容値の設定方法を示したフローチャートである。
【図４】許容値を設定する場合に使用する許容値表を示した図である。
【図５Ａ】実施の形態２に係る空調制御装置を備えた空調システムの構成を示した概略図である。
【図５Ｂ】実施の形態２に係る空調制御装置を備えた空調システムの構成を示したブロック図である。
【図６】実施の形態２に係る空調制御装置の動作を示したフローチャートである。
【図７Ａ】実施の形態３に係る空調制御装置を備えた空調システムの構成を示した概略図である。
【図７Ｂ】実施の形態３に係る空調制御装置を備えた空調システムの構成を示したブロック図である。
【図８】実施の形態３に係る空調制御装置の動作を示したフローチャートである。
【図９Ａ】実施の形態４に係る空調制御装置を備えた空調システムの構成を示した概略図である。
【図９Ｂ】実施の形態４に係る空調制御装置を備えた空調システムの構成を示したブロック図である。
【図１０】実施の形態４に係る空調制御装置の動作を示したフローチャートである。
【発明を実施するための形態】
【００１１】
以下、この発明の実施の形態について図面を参照しながら詳細に説明する。
【００１２】
実施の形態１．
実施の形態１に係る空調制御装置１０について、図１Ａ及び図１Ｂから図４を用いて説明する。
【００１３】
図１Ａは、実施の形態１に係る空調制御装置１０を備えた空調システムの構成を示した概略図である。図１Ｂは、実施の形態１に係る空調制御装置１０を備えた空調システムの構成を示したブロック図である。
【００１４】
図１Ａ及び図１Ｂに示した実施の形態１に係る空調システムは、空調制御装置１０、室外機１１、電流リミッタ１２、電源１３、及び、騒音計１４を備えている。室外機１１は、空調機を構成するものである。
【００１５】
室外機１１は、電流リミッタ１２を有しており、この電流リミッタ１２を介して、電源１３と接続されている。また、室外機１１は、その内部に、ファン、圧縮機、熱交換器等を有しており、電源１３から電流が送られることにより運転する。電流リミッタ１２は、室外機１１を運転させるための電流値（以下、運転電流値と称す）を上限値以下に制限するものである。
【００１６】
騒音計１４は、音の物理的性質を数値化する測定器である。この騒音計１４は、例えば、マイクロホン、増幅器、フィルタ、及び、プロセッサ等を有している。マイクロホンによって収音された音は、当該マイクロホンによって電気信号に変換されたのち、増幅器によって増幅される。フィルタは、電気信号に対して、所定のフィルタリング処理を施すことによって、当該電気信号を、人間の聴覚に合わせた特性の信号に変換する。プロセッサは、例えば、平均化処理及びデシベル演算等を行うことによって、音の物理的性質を数値化する。なお、騒音計１４の構成が上述した構成に限られないことは、言うまでもない。
【００１７】
具体的には、騒音計１４は、室外機１１の運転音に関する測定値を出力するものである。騒音計１４は、例えば、室外機１１を備える住居と当該住居の隣家との間の境界線Ｌ上に設置されている。図１Ａの例では、騒音計１４は、境界線Ｌ上に位置するフェンス５１の上面に設けられているが、この騒音計１４は、境界線Ｌ上に限らず、住居内、住居の敷地内、隣家内、及び、隣家の敷地内等、任意の位置に設置しても構わない。
【００１８】
空調制御装置１０は、設定部１０ａ及び制御部１０ｂを有している。
【００１９】
設定部１０ａ及び制御部１０ｂは、例えば、ＭＰＵ（Micro Processing Unit）などの演算回路で構成される、１または２以上のプロセッサ（図示省略）で、構成される。プロセッサは、騒音計１４及び室外機１１のそれぞれと、有線または無線で通信可能に接続されている。
【００２０】
また、図１Ａ及び図１Ｂでは図示していないが、空調制御装置１０は、例えば、ＲＯＭ（Read Only Memory）と、ＲＡＭ（Random Access Memory）とを、備えていてもよい。空調制御装置１０は、例えば、空調制御装置１０が備えているバッテリなどの内部電源から供給される電力、または、接続されている外部電源から供給される電力などによって、駆動する。
【００２１】
ＲＯＭは、プロセッサが使用するプログラムや演算パラメータなどの制御用データを記憶する。ＲＡＭは、プロセッサにより実行されるプログラムなどを一時的に記憶する。なお、ＲＯＭとＲＡＭとは、プロセッサの一部であってもよい。
【００２２】
なお、後述する実施の形態２，３，４に係る空調制御装置２０，３０，４０についても、空調制御装置１０と同様のハードウェア構成をとることが可能である。よって、以下では、実施の形態２，３，４に係る空調制御装置２０，３０，４０のハードウェア構成については説明を省略する。
【００２３】
設定部１０ａは、騒音計１４から、室外機１１の運転音に関する測定値を取得する。この設定部１０ａは、室外機１１の設置場所及び運転時間帯に基づいて、許容騒音値（以下、許容値と称す）を設定する。また、設定部１０ａは、測定値及び許容値を用いて、室外機１１の運転に関する運転電流値の上限値（以下、運転電流上限値と称す）を設定する。そして、設定部１０ａは、設定した運転電流上限値を、制御部１０ｂに出力する。
【００２４】
更に、設定部１０ａは、測定値と許容値との比較結果に基づいて、運転電流上限値を調整する。具体的には、設定部１０ａは、運転電流上限値を設定する際に、測定値が許容値よりも大きい場合には、現在の運転電流上限値を小さくし、測定値が許容値よりも小さい場合には、現在の運転電流上限値を大きくする。
【００２５】
なお、設定部１０ａは、室外機１１に設定される所定の動作が行われたか否かを判定し、その動作が行われた場合に、運転電流上限値の設定動作を開始する。室外機１１の所定の動作とは、例えば、サーモ動作及びデフロスト動作等である。サーモ動作とは、空調対象室内の設定温度と、空調対象室内の測定温度との温度差を、取得する動作のことである。また、デフロスト動作とは、室外機１１の暖房運転前において、室外機１１の霜を取るために、室外機１１を冷房運転させて、当該室外機１１から暖かい空気を排出する動作のことである。
【００２６】
制御部１０ｂは、設定部１０ａから運転電流上限値を取得する。また、制御部１０ｂは、取得した運転電流上限値を電流リミッタ１２に設定する。これにより、制御部１０ｂは、運転電流上限値を超えないように、室外機１１の運転を制御することができる。
【００２７】
次に、実施の形態１に係る空調制御装置１０の動作について、図２を用いて説明する。図２は、実施の形態１に係る空調制御装置１０の動作を示したフローチャートである。
【００２８】
ステップＳＴ１１において、空調制御装置１０は、室外機１１がＯＮであるか否かを判定する。ここで、空調制御装置１０が室外機１１をＯＮであると判定した場合（ＹＥＳの場合）には、空調制御装置１０の動作は、ステップＳＴ１２に進む。一方、空調制御装置１０が室外機１１をＯＮではないと判定した場合（ＮＯの場合）には、空調制御装置１０の動作は、終了する。
【００２９】
ステップＳＴ１２において、設定部１０ａは、運転電流上限値、測定値、及び、許容値を初期化して、それらを全て「０」とする。
【００３０】
ステップＳＴ１３において、設定部１０ａは、サーモ動作が行われたか否かを判定する。ここで、設定部１０ａが、サーモ動作が行われていないと判定した場合（ＮＯの場合）には、空調制御装置１０の動作は、ステップＳＴ１４に進む。一方、設定部１０ａが、サーモ動作が行われたと判定した場合（ＹＥＳの場合）には、空調制御装置１０の動作は、ステップＳＴ１５に進む。
【００３１】
ステップＳＴ１４において、設定部１０ａは、デフロスト動作が行われたか否かを判定する。このとき、室内機から空調対象室内への冷たい空気の供給は、停止されている。ここで、設定部１０ａが、デフロスト動作が行われたと判定した場合（ＹＥＳの場合）には、空調制御装置１０の動作は、ステップＳＴ１５に進む。一方、設定部１０ａが、デフロスト動作が行われていないと判定した場合（ＮＯの場合）には、空調制御装置１０の動作は、ステップＳＴ１１に戻る。
【００３２】
ステップＳＴ１５において、設定部１０ａは、室外機１１の運転音に関する測定値を取得する。この測定値は、騒音計１４の実測値、または、騒音計１４の実測値を空調制御装置１０によって処理された処理値である。即ち、騒音計１４の実測値は、瞬時値であって、空調制御装置１０の処理値は、例えば、任意時間の移動平均値である。
【００３３】
ステップＳＴ１６において、設定部１０ａは、許容値を設定する。
【００３４】
ステップＳＴ１７において、設定部１０ａは、測定値が許容値よりも大きいか否かを判定する。ここで、設定部１０ａが、測定値が許容値よりも大きいと判定した場合（ＹＥＳの場合）には、空調制御装置１０の動作は、ステップＳＴ１８に進む。一方、１０ａが、測定値が許容値よりも大きくないと判定した場合には、空調制御装置１０の動作は、ステップＳＴ１９に進む。
【００３５】
ステップＳＴ１８において、設定部１０ａは、例えば、現在の運転電流上限値に対して、０．５Ａを減算し、新たな運転電流上限値を設定する。なお、減算値は、室外機１１の設置場所に応じた任意の値としても構わない。
【００３６】
ステップＳＴ１９において、設定部１０ａは、例えば、現在の運転電流上限値に対して、０．５Ａを加算し、新たな運転電流上限値を設定する。なお、加算値は、室外機１１の設置場所に応じた任意の値としても構わない。
【００３７】
ステップＳＴ２０において、制御部１０ｂは、ステップＳＴ１８またはステップＳＴ１９で新たに設定した運転電流上限値を、電流リミッタ１２に設定する。これにより、電流リミッタ１２は、電源１３から室外機１１に送られる運転電流値に対して、運転電流上限値を設定して、制限を掛ける。そして、空調制御装置１０の動作は、ステップＳＴ１３に戻る。
【００３８】
次に、実施の形態１に係る空調制御装置１０による許容値の設定方法について、図３から図４を用いて説明する。
【００３９】
図３は、空調制御装置１０による許容値の設定方法を示したフローチャートである。図４は、許容値を設定する場合に使用する許容値表を示した図である。
【００４０】
図４に示した許容値表は、都市名（city）、用途地域（usage）、及び、時間（time）から構成された表であり、室外機１１の設置場所及び運転時間帯に該当する都市名、用途地域、及び、時間から、その設置場所及び運転時間帯に対応する騒音の許容値を取得するためのものである。この許容値表に関するデータは、作業者によって、空調制御装置１０に予め記憶されている。
【００４１】
ステップＳＴ３１において、設定部１０ａは、図４に示した許容値表から、室外機１１が設置されている都市名、用途地域、及び、現時刻に基づいて、許容値を取得する。
【００４２】
ステップＳＴ３２において、設定部１０ａは、室外機１１の設置場所に応じて、余裕値を設定する。この余裕値は、例えば、−２〜３ｄＢである。
【００４３】
ステップＳＴ３３において、設定部１０ａは、図４の許容値表から取得した許容値に対して、余裕値を加味して、最終的な許容値を設定する。
【００４４】
また、上記図３及び図４を用いて説明した許容値の設定方法は、設定部１０ａによって行われるものであるが、作業者が許容値を設定部１０ａに設定しても構わない。即ち、作業者は、許容できると考えられる室外機１１の運転音の大きさに対応して、許容値を設定部１０ａに設定する。
【００４５】
ここで、実施の形態１に係る空調制御装置１０は、上述したように、空調機の運転音に関する測定値と、空調機の設置場所及び運転時間帯に基づいて設定した許容値とを用いて、空調機の運転に関する値の上限値を設定する機能と、その上限値を超えないように、空調機の運転を制御する機能とを、備えている。これらの各機能は、処理回路によって実現される。即ち、空調制御装置１０は、上記機能を実現するための処理回路を備えている。この処理回路は、例えば、メモリに格納されているプログラムを実行するプロセッサである。このように、処理回路がプロセッサである場合には、上記機能は、ソフトウェア、または、ファームウェア、あるいは、それらを組み合わせたものによって実現される。プロセッサは、メモリに格納されているプログラムを実行することにより、上記機能を実現することができる。これにより、プログラムは、上記機能をコンピュータに実行させるものであるとも言える。
【００４６】
以上より、実施の形態１に係る空調制御装置１０は、室外機１１の運転音に関する測定値と、室外機１１の設置場所及び運転時間帯に基づいて設定した許容値とを用いて、室外機１１の運転に関する運転電流値の運転電流上限値を設定する設定部１０ａと、その運転電流上限値を超えないように、室外機１１の運転を制御する制御部１０ｂとを備えている。これにより、空調制御装置１０は、室外機１１の運転音を低減することができる。
【００４７】
実施の形態２．
実施の形態２に係る空調制御装置２０について、図５Ａ、図５Ｂ、及び、図６を用いて説明する。
【００４８】
図５Ａは、実施の形態２に係る空調制御装置２０を備えた空調システムの構成を示した概略図である。図５Ｂは、実施の形態２に係る空調制御装置２０を備えた空調システムの構成を示したブロック図である。
【００４９】
図５Ａ及び図５Ｂに示した実施の形態２に係る空調システムは、電源１３、騒音計１４、空調制御装置２０、及び、室外機２１を備えている。室外機２１は、空調機を構成するものである。
【００５０】
室外機２１は、電源１３と接続されている。この室外機２１は、室外機コントローラ２１ａ、ファン２１ｂ、及び、圧縮機２１ｃを有している。室外機コントローラ２１ａ、ファン２１ｂ、及び、圧縮機２１ｃは、電源１３から電流が送られることにより運転する。また、室外機コントローラ２１ａは、ファン２１ｂが回転するためのファン周波数、及び、圧縮機２１ｃが駆動するための圧縮機周波数を、上限値以下に制限しながら制御するものである。
【００５１】
空調制御装置２０は、設定部２０ａ及び制御部２０ｂを有している。設定部２０ａ及び制御部２０ｂとして機能するプロセッサ（図示省略）は、騒音計１４及び室外機２１のそれぞれと、有線または無線で通信可能に接続されている。
【００５２】
設定部２０ａは、騒音計１４から、室外機２１の運転音に関する測定値を取得する。この設定部２０ａは、室外機２１の設置場所及び運転時間帯に基づいて、許容値を設定する。また、設定部２０ａは、測定値及び許容値を用いて、ファン２１ｂの運転に関するファン周波数の上限値（以下、ファン周波数上限値と称す）及び圧縮機２１ｃの運転に関する圧縮機周波数の上限値（以下、圧縮機周波数上限値と称す）のうち、少なくともいずれか一方の上限値を設定する。そして、設定部２０ａは、設定したファン周波数上限値及び圧縮機周波数上限値を、制御部２０ｂに出力する。
【００５３】
更に、設定部２０ａは、測定値及び許容値との比較結果に基づいて、ファン周波数上限値及び圧縮機周波数上限値のうち、少なくともいずれか一方の上限値を調整する。具体的には、設定部２０ａは、ファン周波数上限値及び圧縮機周波数上限値を設定する際に、測定値が許容値よりも大きい場合には、現在のファン周波数上限値及び圧縮機周波数上限値のうち、少なくともいずれか一方の上限値を小さくする。一方、設定部２０ａは、ファン周波数上限値及び圧縮機周波数上限値を設定する際に、測定値が許容値よりも小さい場合には、現在のファン周波数上限値及び圧縮機周波数上限値のうち、少なくともいずれか一方の上限値を大きくする。
【００５４】
そして、設定部２０ａは、室外機２１が冷房運転動作を行っているときにおいて、空調対象室内の設定温度が空調対象室内の測定温度以下となる場合、または、空調対象室内の設定温度が空調対象室内の測定温度よりも低くなる場合に、ファン周波数上限値及び圧縮機周波数上限値の設定動作を開始する。また、設定部２０ａは、室外機２１が暖房運転動作を行っているときにおいて、空調対象室内の設定温度が空調対象室内の測定温度以上となる場合、または、空調対象室内の設定温度が空調対象室内の測定温度よりも高くなる場合に、ファン周波数上限値及び圧縮機周波数上限値の設定動作を開始する。
【００５５】
制御部２０ｂは、設定部２０ａからファン周波数上限値及び圧縮機周波数上限値を取得する。また、制御部２０ｂは、取得したファン周波数上限値及び圧縮機周波数上限値を室外機コントローラ２１ａに設定する。これにより、室外機コントローラ２１ａは、ファン周波数上限値を超えないように、ファン２１ｂの回転を制御することができる。また、室外機コントローラ２１ａは、圧縮機周波数上限値を超えないように、圧縮機２１ｃの駆動を制御することができる。
【００５６】
次に、実施の形態２に係る空調制御装置２０の動作について、図６を用いて説明する。図６は、実施の形態２に係る空調制御装置２０の動作を示したフローチャートである。
【００５７】
ステップＳＴ６１において、空調制御装置２０は、室外機２１がＯＮであるか否かを判定する。ここで、空調制御装置２０が室外機２１をＯＮであると判定した場合（ＹＥＳの場合）には、空調制御装置２０の動作は、ステップＳＴ６２に進む。一方、空調制御装置２０が室外機２１をＯＮではないと判定した場合（ＮＯの場合）には、空調制御装置２０の動作は、終了する。
【００５８】
ステップＳＴ６２において、設定部２０ａは、ファン周波数、圧縮機周波数、測定値、許容値、δＴ、及び、ｎを初期化して、それらを全て「０」とする。なお、δＴは、空調対象室内の設定温度ＳＰと空調対象室内の測定温度ＰＶとの温度差を示している。ｎは、時間（分）を示している。
【００５９】
ステップＳＴ６３において、設定部２０ａは、冷房運転時において、設定温度ＳＰが測定温度ＰＶ以下であるか否かを判定する。ここで、設定部２０ａが設定温度ＳＰを測定温度ＰＶ以下であると判定した場合（ＹＥＳの場合）には、空調制御装置２０の動作は、ステップＳＴ６４に進む。一方、設定部２０ａが設定温度ＳＰを測定温度ＰＶ以下ではないと判定した場合（ＮＯの場合）には、空調制御装置２０の動作は、ステップＳＴ６１に戻る。
【００６０】
また、ステップＳＴ６３において、設定部２０ａは、暖房運転時において、設定温度ＳＰが測定温度ＰＶ以上であるか否かを判定する。ここで、設定部２０ａが設定温度ＳＰを測定温度ＰＶ以上であると判定した場合（ＹＥＳの場合）には、空調制御装置２０の動作は、ステップＳＴ６４に進む。一方、設定部２０ａが設定温度ＳＰを測定温度ＰＶ以上ではないと判定した場合（ＮＯの場合）には、空調制御装置２０の動作は、ステップＳＴ６１に戻る。
【００６１】
ステップＳＴ６４において、設定部２０ａは、室外機２１の運転音に関する測定値を取得する。
【００６２】
ステップＳＴ６５において、設定部２０ａは、許容値を取得する。
【００６３】
ステップＳＴ６６において、設定部２０ａは、例えば、１分間隔で、δＴ（ｎ）及びＱ（ｎ）を算出する。δＴ（ｎ）は、１分間隔ごとのδＴの値である。Ｑ（ｎ）は、δＴ（ｎ）−δＴ（ｎ−１）で示され、現在のδＴ（ｎ）と１分前のδＴ（ｎ−１）との差となる。
【００６４】
ステップＳＴ６７において、設定部２０ａは、測定値が許容値よりも大きいか否かを判定する。ここで、設定部２０ａが、測定値が許容値よりも大きいと判定した場合（ＹＥＳの場合）には、空調制御装置２０の動作は、ステップＳＴ６８に進む。一方、設定部２０ａが、測定値が許容値よりも大きくないと判定した場合には、空調制御装置２０の動作は、ステップＳＴ６９に進む。
【００６５】
ステップＳＴ６８において、設定部２０ａは、例えば、現在のファン周波数上限値に対して、５Ｈｚを減算し、新たなファン周波数上限値を設定する。また、設定部２０ａは、例えば、現在の圧縮機周波数上限値に対して、１０Ｈｚを減算し、新たな圧縮機周波数上限値を設定する。なお、上述した各減算値は、室外機２１の設置場所に応じた任意の値としても構わない。また、設定部２０ａは、ファン周波数上限値及び圧縮機周波数上限値のうち、少なくともいずれか一方の上限値を小さく設定すれば良い。
【００６６】
ステップＳＴ６９において、設定部２０ａは、例えば、現在のファン周波数上限値に対して、５Ｈｚを加算し、新たなファン周波数上限値を設定する。また、設定部２０ａは、例えば、現在の圧縮機周波数上限値に対して、１０Ｈｚを加算し、新たな圧縮機周波数上限値を設定する。なお、上述した各加算値は、室外機２１の設置場所に応じた任意の値としても構わない。また、設定部２０ａは、ファン周波数上限値及び圧縮機周波数上限値のうち、少なくともいずれか一方の上限値を大きく設定すれば良い。
【００６７】
ステップＳＴ７０において、設定部２０ａは、ステップＳＴ６６で算出したδＴ（ｎ）及びＱ（ｎ）に対応したファン周波数と、ステップＳＴ６８またはステップＳＴ６９で設定したファン周波数上限値とのうち、小さい値の方を選択する。
【００６８】
ステップＳＴ７１において、設定部２０ａは、ステップＳＴ６６で算出したδＴ（ｎ）及びＱ（ｎ）に対応した圧縮機周波数と、ステップＳＴ６８またはステップＳＴ６９で設定した圧縮機周波数上限値とのうち、小さい値の方を選択する。
【００６９】
ステップＳＴ７２において、制御部２０ｂは、ステップＳＴ７０で選択されたファン周波数を、室外機コントローラ２１ａに設定する。これにより、室外機コントローラ２１ａは、ファン２１ｂを上記ファン周波数で回転させる。
【００７０】
ステップＳＴ７３において、制御部２０ｂは、ステップＳＴ７１で選択された圧縮機周波数を、室外機コントローラ２１ａに設定する。これにより、室外機コントローラ２１ａは、圧縮機２１ｃを上記圧縮機周波数で駆動させる。そして、空調制御装置２０の動作は、ステップＳＴ６３に戻る。
【００７１】
なお、実施の形態２に係る空調制御装置２０における各機能は、実施の形態１に係る空調制御装置１０における各機能と同様に、処理回路によって実現される。
【００７２】
また、実施の形態２に係る空調システムでは、実施の形態２に係る空調制御装置２０の機能を、室外機コントローラ２１ａの機能に含めても構わない。この場合、実施の形態２に係る空調システムは、空調制御装置２０を備える必要がない。
【００７３】
以上より、実施の形態２に係る空調制御装置２０は、室外機２１の運転音に関する測定値と、室外機２１の設置場所及び運転時間帯に基づいて設定した許容値とを用いて、ファン２１ｂの回転に関するファン周波数のファン周波数上限値、及び、圧縮機２１ｃの駆動に関する圧縮機周波数の圧縮機周波数上限値のうち、少なくともいずれか一方の上限値を設定する設定部１０ａと、そのファン周波数上限値及び圧縮機周波数上限値を超えないように、ファン２１ｂの回転及び圧縮機２１ｃの駆動を制御する制御部１０ｂとを備えている。これにより、空調制御装置１０は、室外機２１の運転音を低減することができる。
【００７４】
実施の形態３．
実施の形態３に係る空調制御装置３０について、図７Ａ、図７Ｂ、及び、図８を用いて説明する。
【００７５】
図７Ａは、実施の形態３に係る空調制御装置３０を備えた空調システムの構成を示した概略図である。図７Ｂは、実施の形態３に係る空調制御装置３０を備えた空調システムの構成を示したブロック図である。
【００７６】
図７Ａ及び図７Ｂに示した実施の形態３に係る空調システムは、電流リミッタ１２、電源１３、騒音計１４、空調制御装置３０、及び、室内機３１を備えている。室内機３１は、空調機を構成するものである。電流リミッタ１２、電源１３、空調制御装置３０、及び、室内機３１は、機械室５２内に設けられている。騒音計１４は、住居内に設けられており、機械室５２の外部における任意の位置に設置されている。騒音計１４の設置位置としては、例えば、寝室等である。
【００７７】
室内機３１は、電流リミッタ１２を有しており、この電流リミッタ１２を介して、電源１３と接続されている。また、室内機３１は、その内部に、ファン、圧縮機、熱交換器等を有しており、電源１３から電流が送られることにより運転する。電流リミッタ１２は、室内機３１を運転させるための運転電流値を上限値以下に制限するものである。
【００７８】
空調制御装置３０は、設定部３０ａ及び制御部３０ｂを有している。設定部３０ａ及び制御部３０ｂとして機能するプロセッサ（図示省略）は、騒音計１４及び室内機３１のそれぞれと、有線または無線で通信可能に接続されている。
【００７９】
設定部３０ａは、騒音計１４から、室内機３１の運転音に関する測定値を取得する。この設定部３０ａは、室内機３１の設置場所及び運転時間帯に基づいて、許容値を設定する。また、設定部３０ａは、測定値及び許容値を用いて、室内機３１の運転に関する運転電流値の運転電流上限値を設定する。そして、設定部３０ａは、設定した運転電流上限値を、制御部３０ｂに出力する。
【００８０】
更に、設定部３０ａは、測定値と許容値との比較結果に基づいて、運転電流上限値を調整する。具体的には、設定部３０ａは、運転電流上限値を設定する際に、測定値が許容値よりも大きい場合には、現在の運転電流上限値を小さくし、測定値が許容値よりも小さい場合には、現在の運転電流上限値を大きくする。
【００８１】
なお、設定部３０ａは、室内機３１に設定される所定の動作が行われたか否かを判定し、その動作が行われた場合に、運転電流上限値の設定動作を開始する。室内機３１の所定の動作とは、例えば、サーモ動作等である。
【００８２】
制御部３０ｂは、設定部３０ａから運転電流上限値を取得する。また、制御部３０ｂは、取得した運転電流上限値を電流リミッタ１２に設定する。これにより、制御部３０ｂは、運転電流上限値を超えないように、室内機３１の運転を制御することができる。
【００８３】
次に、実施の形態３に係る空調制御装置３０の動作について、図８を用いて説明する。図８は、実施の形態３に係る空調制御装置３０の動作を示したフローチャートである。
【００８４】
ステップＳＴ８１において、空調制御装置３０は、室内機３１がＯＮであるか否かを判定する。ここで、空調制御装置３０が室内機３１をＯＮであると判定した場合（ＹＥＳの場合）には、空調制御装置３０の動作は、ステップＳＴ８２に進む。一方、空調制御装置１０が室内機３１をＯＮではないと判定した場合（ＮＯの場合）には、空調制御装置１０の動作は、終了する。
【００８５】
ステップＳＴ８２において、設定部３０ａは、運転電流上限値、測定値、及び、許容値を初期化して、それらを全て「０」とする。
【００８６】
ステップＳＴ８３において、設定部３０ａは、サーモ動作が行われたか否かを判定する。ここで、設定部３０ａが、サーモ動作が行われたと判定した場合（ＹＥＳの場合）には、空調制御装置３０の動作は、ステップＳＴ８４に進む。一方、設定部３０ａが、サーモ動作が行われていないと判定した場合（ＮＯの場合）には、空調制御装置１０の動作は、ステップＳＴ８１に戻る。
【００８７】
ステップＳＴ８４において、設定部３０ａは、室内機３１の運転に関する測定値を取得する。
【００８８】
ステップＳＴ８５において、設定部３０ａは、許容値を設定する。
【００８９】
ステップＳＴ８６において、設定部３０ａは、測定値が許容値よりも大きいか否かを判定する。ここで、設定部３０ａが、測定値が許容値よりも大きいと判定した場合（ＹＥＳの場合）には、空調制御装置３０の動作は、ステップＳＴ８７に進む。一方、設定部３０ａが、測定値が許容値よりも大きくないと判定した場合には、空調制御装置３０の動作は、ステップＳＴ８８に進む。
【００９０】
ステップＳＴ８７において、設定部３０ａは、例えば、現在の運転電流上限値に対して、０．１Ａを減算し、新たな運転電流上限値を設定する。なお、減算値は、室内機３１の設置場所に応じた任意の値としても構わない。
【００９１】
ステップＳＴ８８において、設定部３０ａは、例えば、現在の運転電流上限値に対して、０．１Ａを加算し、新たな運転電流上限値を設定する。なお、加算値は、室内機３１の設置場所に応じた任意の値としても構わない。
【００９２】
ステップＳＴ８９において、制御部３０ｂは、ステップＳＴ８７またはステップＳＴ８８で新たに設定した運転電流上限値を、電流リミッタ１２に設定する。これにより、電流リミッタ１２は、電源１３から室内機３１に送られる運転電流値に対して、運転電流上限値を設定して、制限を掛ける。そして、空調制御装置３０の動作は、ステップＳＴ８３に戻る。
【００９３】
なお、実施の形態３に係る空調制御装置３０における各機能等は、実施の形態１に係る空調制御装置１０における各機能と同様に、処理回路によって実現される。
【００９４】
以上より、実施の形態３に係る空調制御装置３０は、室内機３１の運転音に関する測定値と、室内機３１の設置場所及び運転時間帯に基づいて設定した許容値とを用いて、室内機３１の運転に関する運転電流値の運転電流上限値を設定する設定部３０ａと、その運転電流上限値を超えないように、室内機３１の運転を制御する制御部３０ｂとを備えている。これにより、空調制御装置３０は、室内機３１の運転音を低減することができる。
【００９５】
実施の形態４．
実施の形態４に係る空調制御装置４０について、図９Ａ、図９Ｂ、及び、図１０を用いて説明する。
【００９６】
図９Ａは、実施の形態４に係る空調制御装置４０を備えた空調システムの構成を示した概略図である。図９Ｂは、実施の形態４に係る空調制御装置４０を備えた空調システムの構成を示したブロック図である。
【００９７】
図９Ａ及び図９Ｂに示した実施の形態４に係る空調システムは、電流リミッタ１２、電源１３、騒音計１４、空調制御装置４０、及び、室内機４１を備えている。室内機４１は、空調機を構成するものである。電流リミッタ１２、電源１３、空調制御装置４０、及び、室内機４１は、機械室５２内に設けられている。騒音計１４は、住居内に設けられており、機械室５２の外部における任意の位置に設置されている。騒音計１４の設置位置としては、例えば、寝室等である。
【００９８】
室内機４１は、電源１３と接続されている。この室内機４１は、室内機コントローラ４１ａ及びファン４１ｂを有している。室内機コントローラ４１ａ及びファン４１ｂは、電源１３から電流が送られることにより運転する。また、室内機コントローラ４１ａは、ファン４１ｂが回転するためのファン周波数を、上限値以下に制限しながら制御するものである。
【００９９】
空調制御装置４０は、設定部４０ａ及び制御部４０ｂを有している。設定部４０ａ及び制御部４０ｂとして機能するプロセッサ（図示省略）は、騒音計１４及び室内機４１のそれぞれと、有線または無線で通信可能に接続されている。
【０１００】
設定部４０ａは、騒音計１４から、室内機４１の運転音に関する測定値を取得する。この設定部４０ａは、室内機４１の設置場所及び運転時間帯に基づいて、許容値を設定する。また、設定部４０ａは、測定値及び許容値を用いて、ファン４１ｂの運転に関するファン周波数のファン周波数上限値を設定する。そして、設定部４０ａは、設定したファン周波数上限値を、制御部４０ｂに出力する。
【０１０１】
更に、設定部４０ａは、測定値及び許容値との比較結果に基づいて、ファン周波数上限値を調整する。具体的には、設定部４０ａは、ファン周波数上限値を設定する際に、測定値が許容値よりも大きい場合には、現在のファン周波数上限値を小さくする。一方、設定部２０ａは、ファン周波数上限値を設定する際に、測定値が許容値よりも小さい場合には、現在のファン周波数上限値を大きくする。
【０１０２】
そして、設定部４０ａは、室内機４１が冷房運転動作を行っているときにおいて、空調対象室内の設定温度が空調対象室内の測定温度以下となる場合、または、空調対象室内の設定温度が空調対象室内の測定温度よりも低くなる場合に、ファン周波数上限値の設定動作を開始する。また、設定部４０ａは、室内機４１が暖房運転動作を行っているときにおいて、空調対象室内の設定温度が空調対象室内の測定温度以上となる場合、または、空調対象室内の設定温度が空調対象室内の測定温度よりも高くなる場合に、ファン周波数上限値の設定動作を開始する。
【０１０３】
制御部４０ｂは、設定部４０ａからファン周波数上限値を取得する。また、制御部４０ｂは、取得したファン周波数上限値を室内機コントローラ４１ａに設定する。これにより、室内機コントローラ４１ａは、ファン周波数上限値を超えないように、ファン４１ｂの回転を制御することができる。
【０１０４】
次に、実施の形態４に係る空調制御装置４０の動作について、図１０を用いて説明する。図１０は、実施の形態４に係る空調制御装置４０の動作を示したフローチャートである。
【０１０５】
ステップＳＴ１０１において、空調制御装置４０は、室内機４１がＯＮであるか否かを判定する。ここで、空調制御装置４０が室内機４１をＯＮであると判定した場合（ＹＥＳの場合）には、空調制御装置４０の動作は、ステップＳＴ１０２に進む。一方、空調制御装置４０が室内機４１をＯＮではないと判定した場合（ＮＯの場合）には、空調制御装置４０の動作は、終了する。
【０１０６】
ステップＳＴ１０２において、設定部４０ａは、ファン周波数、測定値、許容値、δＴ、及び、ｎを初期化して、それらを全て「０」とする。
【０１０７】
ステップＳＴ１０３において、設定部４０ａは、冷房運転時において、設定温度ＳＰが測定温度ＰＶ以下であるか否かを判定する。ここで、設定部４０ａが設定温度ＳＰを測定温度ＰＶ以下であると判定した場合（ＹＥＳの場合）には、空調制御装置４０の動作は、ステップＳＴ１０４に進む。一方、設定部４０ａが設定温度ＳＰを測定温度ＰＶ以下ではないと判定した場合（ＮＯの場合）には、空調制御装置４０の動作は、ステップＳＴ１０１に戻る。
【０１０８】
また、ステップＳＴ１０３において、設定部４０ａは、暖房運転時において、設定温度ＳＰが測定温度ＰＶ以上であるか否かを判定する。ここで、設定部４０ａが設定温度ＳＰを測定温度ＰＶ以上であると判定した場合（ＹＥＳの場合）には、空調制御装置４０の動作は、ステップＳＴ１０４に進む。一方、設定部４０ａが設定温度ＳＰを測定温度ＰＶ以上ではないと判定した場合（ＮＯの場合）には、空調制御装置４０の動作は、ステップＳＴ１０１に戻る。
【０１０９】
ステップＳＴ１０４において、設定部４０ａは、室内機４１の運転音に関する測定値を取得する。
【０１１０】
ステップＳＴ１０５において、設定部４０ａは、許容値を取得する。
【０１１１】
ステップＳＴ１０６において、設定部４０ａは、例えば、１分間隔で、δＴ（ｎ）及びＱ（ｎ）を算出する。
【０１１２】
ステップＳＴ１０７において、設定部４０ａは、測定値が許容値よりも大きいか否かを判定する。ここで、設定部４０ａが、測定値が許容値よりも大きいと判定した場合（ＹＥＳの場合）には、空調制御装置４０の動作は、ステップＳＴ１０８に進む。一方、設定部４０ａが、測定値が許容値よりも大きくないと判定した場合には、空調制御装置４０の動作は、ステップＳＴ１０９に進む。
【０１１３】
ステップＳＴ１０８において、設定部４０ａは、例えば、現在のファン周波数上限値に対して、１０Ｈｚを減算し、新たなファン周波数上限値を設定する。なお、上述した減算値は、室内機４１の設置場所に応じた任意の値としても構わない。
【０１１４】
ステップＳＴ１０９において、設定部４０ａは、例えば、現在のファン周波数上限値に対して、１０Ｈｚを加算し、新たなファン周波数上限値を設定する。なお、上述した加算値は、室内機４１の設置場所に応じた任意の値としても構わない。
【０１１５】
ステップＳＴ１１０において、設定部４０ａは、ステップＳＴ１０６で算出したδＴ（ｎ）及びＱ（ｎ）に対応したファン周波数と、ステップＳＴ１０８またはステップＳＴ１０９で設定したファン周波数上限値とのうち、小さい値の方を選択する。
【０１１６】
ステップＳＴ１１１において、制御部４０ｂは、ステップＳＴ１１０で選択されたファン周波数上限値を、室内機コントローラ４１ａに設定する。これにより、室内機コントローラ４１ａは、ファン４１ｂを上記ファン周波数で回転させる。そして、空調制御装置４０の動作は、ステップＳＴ１０３に戻る。
【０１１７】
なお、実施の形態４に係る空調制御装置４０における各機能等は、実施の形態１に係る空調制御装置１０における各機能と同様に、処理回路によって実現される。
【０１１８】
また、実施の形態４に係る空調システムでは、実施の形態４に係る空調制御装置４０の機能を、室内機コントローラ４１ａの機能に含めても構わない。この場合、実施の形態４に係る空調システムは、空調制御装置４０を備える必要がない。
【０１１９】
以上より、実施の形態４に係る空調制御装置４０は、室内機４１の運転音に関する測定値と、室内機４１の設置場所及び運転時間帯に基づいて設定した許容値とを用いて、ファン４１ｂの回転に関するファン周波数のファン周波数上限値を設定する設定部４０ａと、そのファン周波数上限値を超えないように、ファン４１ｂの回転を制御する制御部４０ｂとを備えている。これにより、空調制御装置４０は、室内機４１の運転音を低減することができる。
【０１２０】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【０１２１】
１０    空調制御装置
１０ａ  設定部
１０ｂ  制御部
１１    室外機
１２    電流リミッタ
１３    電源
１４    騒音計
２０    空調制御装置
２０ａ  設定部
２０ｂ  制御部
２１    室外機
２１ａ  室外機コントローラ
２１ｂ  ファン
２１ｃ  圧縮機
３０    空調制御装置
３０ａ  設定部
３０ｂ  制御部
３１    室内機
４０    空調制御装置
４０ａ  設定部
４０ｂ  制御部
４１    室内機
４１ａ  室内機コントローラ
４１ｂ  ファン
５１    フェンス
５２    機械室
Ｌ    境界線
【図１Ａ】
2020159642.tif 000003
【図１Ｂ】
2020159642.tif 000004
【図２】
2020159642.tif 000005
【図３】
2020159642.tif 000006
【図４】
2020159642.tif 000007
【図５Ａ】
2020159642.tif 000008
【図５Ｂ】
2020159642.tif 000009
【図６】
2020159642.tif 000010
【図７Ａ】
2020159642.tif 000011
【図７Ｂ】
2020159642.tif 000012
【図８】
2020159642.tif 000013
【図９Ａ】
2020159642.tif 000014
【図９Ｂ】
2020159642.tif 000015
【図１０】
2020159642.tif 000016